(57)【要約】【課題】複数の逆浸透膜ユニットにより被処理水を並列処理する逆浸透膜処理において、水回収率を所定の範囲に自動で保ち、逆浸透膜処理システムの維持管理負荷を軽減するとともに、安定的な流量で処理水を得る逆浸透膜処理システム及び逆浸透膜処理システムの運転方法を提供する。【解決手段】被処理水を並列処理する複数の逆浸透膜ユニット１００、２００、３００と、各逆浸透膜ユニット１００、２００、３００による水回収率が所定の範囲で維持されるように、各逆浸透膜ユニット１００、２００、３００からの濃縮水の排水量を制御する濃縮水排水量制御装置とを備える。【選択図】図１
2018034093.tif 000002
【特許請求の範囲】
【請求項１】
被処理水を並列処理する複数の逆浸透膜ユニットと、
各逆浸透膜ユニットによる水回収率が所定の範囲で維持されるように、前記各逆浸透膜ユニットからの濃縮水の排水量を制御する濃縮水排水量制御装置と
を備えることを特徴とする逆浸透膜処理システム。
【請求項２】
前記複数の逆浸透膜ユニットの上流側で被処理水へスケール防止剤を供給するスケール防止剤供給装置と、
前記複数の逆浸透膜ユニットに供給される前記被処理水中のスケール防止剤濃度を検出するスケール防止剤濃度検出装置と、
前記スケール防止剤濃度検出装置の出力により前記スケール防止剤供給装置から前記被処理水へのスケール防止剤の供給量を制御するスケール防止剤供給量制御装置と
をさらに備えることを特徴とする請求項１に記載の逆浸透膜処理システム。
【請求項３】
前記複数の逆浸透膜ユニットの各逆浸透膜ユニットは、前記各逆浸透膜ユニットに被処理水を供給する被処理水供給管と、前記各逆浸透膜ユニットを透過した透過水を流出させる透過水流出管と、前記各逆浸透膜ユニットの濃縮水を流出させる濃縮水流出管とを備え、
前記濃縮水排水量制御装置は、
前記濃縮水流出管に介装された濃縮水流量調節バルブと、
前記透過水流出管内の前記透過水の流量を測定する透過水流量測定装置と、
前記濃縮水流出管内の前記濃縮水の流量を測定する濃縮水流量測定装置と、
前記透過水流量測定装置による測定値と前記濃縮水流量測定装置による測定値に基づいて、前記各逆浸透膜ユニットにおける水回収率を算出する演算部と、
前記演算部により算出される水回収率が所定の略一定の値に保たれるように、前記濃縮水流量調節バルブを制御する制御装置と
を備えることを特徴とする請求項１又は２に記載の逆浸透膜処理システム。
【請求項４】
前記複数の逆浸透膜ユニットは、多段の逆浸透膜バンクを備えており、
前記多段の逆浸透膜バンクにおいて、前段側の逆浸透膜バンクの濃縮水が、後段側の逆浸透膜バンクの供給側に各々供給され、
前記濃縮水排水量制御装置は、前記多段の逆浸透膜バンクにおける最終段の逆浸透膜バンクからの濃縮水の排水量を制御することを特徴とする請求項１乃至３のいずれか１項に記載の逆浸透膜処理システム。
【請求項５】
前記被処理水は、硬度成分及びシリカから選ばれる１種以上を含むことを特徴とする請求項１乃至４のいずれか１項に記載の逆浸透膜処理システム。
【請求項６】
前記被処理水のｐＨは、３．５〜１１であることを特徴とする請求項１乃至５のいずれか１項に記載の逆浸透膜処理システム。
【請求項７】
前記逆浸透膜処理システムにおける水回収率は、５０％〜９０％であることを特徴とする請求項１乃至６のいずれか１項に記載の逆浸透膜処理システム。
【請求項８】
被処理水を並列処理するように配置された複数の逆浸透膜ユニットを備える逆浸透膜処理システムの運転方法であって、
前記複数の逆浸透膜ユニットのうち各逆浸透膜ユニットからの濃縮水の排水量を制御する濃縮水排水量制御装置を設けて、前記各逆浸透膜ユニットの濃縮水の排水量をそれぞれ運転状態に応じて自動で制御するとともに、前記複数の逆浸透膜ユニットの上流側で被処理水へスケール防止剤を供給するスケール防止剤供給装置と、前記複数の逆浸透膜ユニットに供給される前記被処理水のスケール防止剤濃度を検出するスケール防止剤濃度検出装置と、前記スケール防止剤濃度検出装置の出力により前記スケール防止剤供給装置から前記被処理水へのスケール防止剤の供給量を制御する制御装置とを設け、前記複数の逆浸透膜ユニットのうち、少なくとも１つの逆浸透膜ユニットにおいて被処理水の供給流量の変動があっても、前記複数の逆浸透膜ユニットに供給されるスケール防止剤供給濃度を所定の範囲に維持させることを特徴とする逆浸透膜処理システムの運転方法。
【発明の詳細な説明】
【技術分野】
【０００１】
従来、医療用水や超純水の製造において、原水中のイオン成分やコロイド成分を除去するために、逆浸透膜装置が用いられている。逆浸透膜装置は、通常、中空糸状、スパイラル状、平板状、チューブ状等に形成した逆浸透膜を備える逆浸透膜モジュールが装填されたものである。
【０００２】
逆浸透膜装置は、長期間使用していると、被処理水中のスケール成分から、不溶性の無機塩などスケールが生成し、これが膜面に付着、堆積して詰まりを生じ、不純物の除去性能が低下してしまう。そのため、逆浸透膜装置の被処理水に、上記付着物の膜面への付着を抑制するスケール防止剤が添加される場合がある。
【０００３】
スケール防止剤の添加方法として、例えば、スケール防止剤に蛍光トレーサを配合して、蛍光トレーサの蛍光強度を測定して、蛍光強度の変化をスケール防止剤の濃度変化に関連付けることで、最適量のスケール防止剤を自動で添加する方法が開示されている（例えば、特許文献１参照。）。
【０００４】
また、逆浸透膜装置においては、安定した水量で透過水を得、また、被処理水中のスケール成分からスケールの生成を起こさせないような濃縮濃度に制御するために、水回収率を所定の範囲で一定に保つのが一般的である。ところが、上記スケール生成によって膜面に付着物が付着した場合には、透過水又は濃縮水の流量の低下により、水回収率の低下又は上昇が起こる。
【０００５】
そのため、水回収率を所定の範囲で一定に保つ様々な方法が検討されている。このような方法として、例えば、ろ過装置を有する第一水処理部と、逆浸透膜装置を有する第二水処理部を有する水処理システムにおいて、第一水処理部の運転状態に基づいて、第二水処理部の逆浸透膜装置の濃縮水の排出量を調節する方法が提案されている（例えば、特許文献２参照。）。
【先行技術文献】
【特許文献】
【０００６】
【特許文献１】特開２００８−５３３４３８号公報
【特許文献２】特許第４６５０７４０号公報
【発明の概要】
【発明が解決しようとする課題】
【０００７】
上記したように、一般に、逆浸透膜装置では、水回収率を調整することで、スケールが生成しないように濃度制御することや、スケール防止剤の適量注入によって、スケールの生成を抑制している。
【０００８】
ここで、処理水流量の極めて多い、大型の逆浸透膜処理システムは、複数の逆浸透膜ユニットによって被処理水を並列処理する構成である。各逆浸透膜ユニットは、多段の逆浸透膜バンクを備えて構成される。逆浸透膜バンクは、複数の逆浸透膜モジュールを多段で内装した逆浸透膜ベッセルを、並列に配置したものである。
【０００９】
このような大型の逆浸透膜処理システムにおいては、複数の逆浸透膜ユニットは、これらを同じ条件で運転していても、各逆浸透膜ユニットで水回収率が各々異なった変動を起こす。これは、逆浸透膜ユニットごとにスケール生成の度合いが異なり、逆浸透膜ユニットごとにモジュールの詰まり具合が異なったり、特定の逆浸透膜ユニットのみ新品の逆浸透膜モジュールが組み込まれていたりするためである。
【００１０】
また、大型の逆浸透膜処理システムにおいては、複数の逆浸透膜ユニットのうちのある１基について被処理水の処理を停止し、薬品クリーニング洗浄を行うとともに、他の逆浸透膜ユニットによって被処理水の処理を継続することが行われる。この場合にも、逆浸透膜処理システム全体としての水回収率の変動が生じる。このように、水回収率の変動が生じると、逆浸透膜処理システムにおける処理水流量の変動が起こる。
【００１１】
そのため、従来、大型の逆浸透膜処理システムでは、水回収率の変動を修正するために、例えば、各逆浸透膜ユニットでの水回収率が均等になるように手動で調整して、逆浸透膜処理システム全体の水回収率を維持することや、各ユニットの透過水流量が均等になるようにすること等が試みられていた。
【００１２】
さらに、スケール防止剤が使用される場合、複数ある逆浸透膜ユニットにおけるスケール生成度合いが各々異なる状況や、複数ある逆浸透膜ユニットのうち１基を停止して行う作業等によって、逆浸透膜処理システムに供給される被処理水の供給流量が変動して、スケール防止剤の濃度が変動してしまう。この際にも、逆浸透膜システムの被処理水に供給されるスケール防止剤の添加量が手動で調節されていた。
【００１３】
これらのことから、特に、処理水流量の極めて多い大型の逆浸透膜処理システムでは、被処理水へのスケール防止剤の供給濃度や水回収率の調整のためのバルブの開閉操作や開度調節操作などの作業負荷が極めて高いという問題があった。
【００１４】
さらに、上記バルブの開閉操作を行った場合にも、各逆浸透膜ユニットにおけるバルブの開度を変化させると、これが別の逆浸透膜ユニットの透過水流量を変化させて、当該逆浸透膜ユニットの水回収率が変化してしまう。したがって、例えば、逆浸透膜ユニットのバルブを手動で操作することで、複数の逆浸透膜ユニットの水回収率を均等になるように調整することは困難であり、いずれも場合でも、設定値に正確に調整することはできなかった。
【００１５】
また、ある逆浸透膜ユニットにおいて水回収率の変動が起こった状況で、逆浸透膜処理システム全体としての処理水流量を維持しようとすると、新品の逆浸透膜モジュールが組み込まれた逆浸透膜ユニットなど、詰まりの少ない特定の逆浸透膜ユニットに被処理水が流れやすく、複数の逆浸透膜ユニットで水回収率をそれぞれ均等に得ることが困難であるという問題もあった。
【００１６】
詰まりの少ない特定の逆浸透膜ユニットに被処理水が多く供給されると、当該逆浸透膜ユニットにおける透過水流量が増加してしまい、当該逆浸透膜ユニットの水回収率が大きくなってしまう。その結果、当該逆浸透膜ユニットに組み込まれた逆浸透膜モジュールの劣化が早まり、結果的に逆浸透膜処理システム全体のライフが低下してしまうことも分かってきた。逆浸透膜処理システム全体のライフが低下することで、逆浸透膜処理システム設計時の想定以上に、逆浸透膜の洗浄頻度が増加し、さらに、逆浸透膜モジュールの交換頻度が増加してしまう。
【００１７】
さらには、逆浸透膜のスケール生成による詰まりは、処理水流量の増加に伴って急激に進行し、スケール防止剤の効果が急激に減少していくため、スケール防止剤の供給量の調整が極めて困難となるという問題もあった。
【００１８】
これらの知見から、長期間にわたって処理水を安定的な流量で得るためには、水回収率を正確に調整することが重要であることが明らかとなった。
【００１９】
本発明は、上記した課題を解決するためになされたものであって、複数の逆浸透膜ユニットにより被処理水を並列処理する逆浸透膜処理において、水回収率を所定の範囲に自動で保ち、逆浸透膜処理システムの維持管理負荷を軽減するとともに、安定的な流量で処理水を得ることのできる、逆浸透膜処理システム及び逆浸透膜処理システムの運転方法を提供することを目的とする。
【課題を解決するための手段】
【００２０】
本発明の逆浸透膜処理システムは、被処理水を並列処理する複数の逆浸透膜ユニットと、各逆浸透膜ユニットによる水回収率が所定の範囲で維持されるように、各逆浸透膜ユニットからの濃縮水の排水量を制御する濃縮水排水量制御装置とを備えることを特徴とする。
【００２１】
本発明の逆浸透膜処理システムでは、濃縮水排水量制御装置によって、個々の逆浸透膜ユニットで、水回収率を所定の範囲に自動で維持することができる。そのため、特定の逆浸透膜ユニットのみで透過水流量が増大することがなく、当該逆浸透膜ユニットのライフが急激に短縮されることもなくなる。そのため、逆浸透膜処理システム全体のライフを長期化することができる。また、水回収率を自動で制御するため、バルブの操作などの作業負荷が軽減される。
【００２２】
本発明の逆浸透膜処理システムは、前記複数の逆浸透膜ユニットの上流側で被処理水へスケール防止剤を供給するスケール防止剤供給装置と、前記複数の逆浸透膜ユニットに供給される前記被処理水中のスケール防止剤濃度を検出するスケール防止剤濃度検出装置と、前記スケール防止剤濃度検出装置の出力により前記スケール防止剤供給装置から前記被処理水へのスケール防止剤の供給量を制御するスケール防止剤供給量制御装置とをさらに備えることが好ましい。
【００２３】
本発明の逆浸透膜処理システムにおいて、前記複数の逆浸透膜ユニットの各逆浸透膜ユニットは、前記各逆浸透膜ユニットに被処理水を供給する被処理水供給管と、前記各逆浸透膜ユニットを透過した透過水を流出させる透過水流出管と、前記各逆浸透膜ユニットの濃縮水を流出させる濃縮水流出管とを備え、前記濃縮水排水量制御装置は、前記濃縮水流出管に介装された濃縮水流量調節バルブと、前記透過水流出管内の前記透過水の流量を測定する透過水流量測定装置と、前記濃縮水流出管内の前記濃縮水の流量を測定する濃縮水流量測定装置と、前記透過水流量測定装置による測定値と前記濃縮水流量測定装置による測定値に基づいて、前記各逆浸透膜ユニットにおける水回収率を算出する演算部と、前記演算部により算出される水回収率が所定の略一定の値に保たれるように、前記濃縮水流量調節バルブを制御する制御装置とを備えることが好ましい。
【００２４】
本発明の逆浸透膜処理システムにおいて、前記複数の逆浸透膜ユニットは、多段の逆浸透膜バンクを備えており、前記多段の逆浸透膜バンクにおいて、前段側の逆浸透膜バンクの濃縮水が、後段側の逆浸透膜バンクの供給側に各々供給され、前記濃縮水排水量制御装置は、前記多段の逆浸透膜バンクにおける最終段の逆浸透膜バンクからの濃縮水の排水量を制御することが好ましい。
【００２５】
本発明の逆浸透膜処理システムにおいて、前記被処理水は、硬度成分及びシリカから選ばれる１種以上を含むことが好ましい。また、前記被処理水のｐＨは、３．５〜１１であることが好ましい。
【００２６】
本発明の逆浸透膜処理システムにおける水回収率は、５０％〜９０％であることが好ましい。
【００２７】
本発明の逆浸透膜処理システムの運転方法は、被処理水を並列処理するように配置された複数の逆浸透膜ユニットを備える逆浸透膜処理システムの運転方法であって、前記複数の逆浸透膜ユニットのうち各逆浸透膜ユニットからの濃縮水の排水量を制御する濃縮水排水量制御装置を設けて、前記各逆浸透膜ユニットの濃縮水の排水量をそれぞれ運転状態に応じて自動で制御するとともに、前記複数の逆浸透膜ユニットの上流側で被処理水へスケール防止剤を供給するスケール防止剤供給装置と、前記複数の逆浸透膜ユニットに供給される前記被処理水のスケール防止剤濃度を検出するスケール防止剤濃度検出装置と、前記スケール防止剤濃度検出装置の出力により前記スケール防止剤供給装置から前記被処理水へのスケール防止剤の供給量を制御する制御装置とを設け、前記複数の逆浸透膜ユニットのうち、少なくとも１つの逆浸透膜ユニットにおいて被処理水の供給流量の変動があっても、前記複数の逆浸透膜ユニットに供給されるスケール防止剤供給濃度を所定の範囲に維持させることを特徴とする。
【発明の効果】
【００２８】
本発明の逆浸透膜処理システム及び逆浸透膜処理システムの運転方法によれば、複数の逆浸透膜ユニットにより被処理水を並列処理する逆浸透膜処理において、水回収率を所定の範囲に自動で保ち、逆浸透膜処理システムの維持管理負荷を軽減するとともに、安定的な流量で処理水を得ることができる。
【図面の簡単な説明】
【００２９】
【図１】実施形態の逆浸透膜処理システムを概略的に表わす図である。
【図２】逆浸透膜処理システムに用いられる逆浸透膜ユニットの一例を概略的に表わす図である。
【図３】逆浸透膜ユニットの他の一例を概略的に表わす図である。
【発明を実施するための形態】
【００３０】
以下、図面を参照して、実施形態を詳細に説明する。
（第１の実施形態）
図１に示すように、第１の実施形態に係る逆浸透膜処理システム１は、被処理水を並列処理する３基の逆浸透膜ユニット１００、２００、３００を有している。逆浸透膜ユニット１００、２００、３００は例えば、それぞれ、被処理水を直列処理する逆浸透膜バンクを多段で備えて構成される。逆浸透膜バンクは、複数の逆浸透膜モジュールを多段で内装した逆浸透膜ベッセルを、並列に配置したものである。
【００３１】
逆浸透膜ユニット１００には、逆浸透膜ユニット１００に被処理水を供給する被処理水供給管１２１と、逆浸透膜ユニットから濃縮水を排出する濃縮水流出管１７１と、逆浸透膜ユニット１００から透過水を排出する透過水流出管１６１が接続されている。被処理水供給管１２１には、逆浸透膜ユニット１００に流入する被処理水の流量を調節する被処理水流量調節バルブＶ１１が介装されている。濃縮水流出管１７１には、濃縮水流出管１７１から排出される濃縮水の流量を調節する濃縮水流量調節バルブＶ２１が介装されている。逆浸透膜ユニット１００は、逆浸透膜ユニット１００における水回収率が所定の範囲で一定となるように、逆浸透膜ユニット１００の濃縮水の排出流量を制御する濃縮水排出量制御装置を備えている。
【００３２】
逆浸透膜ユニット１００において、濃縮水排出量制御装置は、透過水流出管１６１内の透過水の流量を測定する透過水流量測定装置１８１と、濃縮水流出管１７１内の濃縮水の流量を測定する濃縮水流量測定装置１９１と、透過水流量測定装置１８１で測定された透過水の流量及び濃縮水流量測定装置１９１で測定された濃縮水の流量に基づいて、逆浸透膜ユニット１００の水回収率を算出する演算部３０１を備えている。
【００３３】
逆浸透膜ユニット２００、３００は、逆浸透膜ユニット１００と同様の構成である。逆浸透膜ユニット２００、３００には、それぞれ、被処理水供給管１２２、１２３、透過水流出管１６２、１６３、濃縮水流出管１７２、１７３が接続されている。被処理水供給管１２２、１２３には、それぞれ、被処理水流量調節バルブＶ１２、Ｖ１３が介装されている。濃縮水流出管１７２、１７３には、それぞれ、濃縮水流量調節バルブＶ２２、Ｖ２３が介装されている。また、逆浸透膜ユニット２００、３００は、それぞれ、透過水流量測定装置１８２、１８３、濃縮水流量測定装置１９２、１９３、演算部３０２、３０３を備えた濃縮水排出量制御装置を有している。
【００３４】
また、逆浸透膜処理システム１は、被処理水を供給する被処理水供給管１２と、被処理水にスケール防止剤を供給するスケール防止剤供給装置１３と、逆浸透膜処理システム１に供給される被処理水中のスケール防止剤の濃度を測定するスケール防止剤濃度検出装置１４とを備えている。被処理水供給管１２には、ポンプ１５が介装されており、ポンプ１５によって、スケール防止剤の供給された被処理水が、逆浸透膜ユニット１００、２００、３００に供給される。
【００３５】
被処理水供給管１２は、被処理水供給管１２１、１２２、１２３に接続されて、ポンプ１５により加圧された被処理水を各逆浸透膜ユニット１００、２００、３００に並列に供給する。
【００３６】
また、逆浸透膜処理システム１は、制御装置４０を備えている。制御装置４０は、濃縮水流量調節バルブＶ２１〜２３をそれぞれ制御して、濃縮水流出管１７１〜１７３を通流する濃縮水の流量をそれぞれ調節する。また、制御装置４０は、スケール防止剤供給装置１３を制御して、スケール防止剤供給装置１３により供給されるスケール防止剤の濃度を調節することができる。
【００３７】
次に、逆浸透膜ユニット１００によって、被処理水を逆浸透膜処理する方法について説明する。ポンプ１５を作動させると、被処理水が、被処理水供給管１２を介して、逆浸透膜ユニット１００に供給される。ポンプ１５の吐出圧は、逆浸透膜処理システム１に備えられる逆浸透膜ユニットの数、各逆浸透膜ユニットにおける逆浸透膜バンクの段数、逆浸透膜ベッセルの数等にもよるが、処理水流量が５０〜５０００ｍ３／ｈである逆浸透膜処理システムにおいては、例えば、０．５〜３．０ＭＰａ程度である。
【００３８】
被処理水は、例えば、市水、井水、工業用水等の原水である。また、被処理水は、超純水の使用場所で使用され、回収され、その後必要に応じて薬品除去処理等の施された使用済み回収水であってもよい。例えば、原水には、不溶性の無機塩を形成してスケール成分を生成し得るイオンとして、カルシウム、マグネシウム等の硬度成分及び溶存炭酸ガスが、炭酸カルシウム換算の合計で１０ｍｇ／Ｌ〜３００ｍｇ／Ｌ含まれている。また、原水には、シリカ（Ｓｉ）が１ｍｇ／Ｌ〜５０ｍｇ／Ｌ程度含まれている。原水のｐＨは３．５〜１１程度である。
【００３９】
ポンプ１５の上流側で、スケール防止剤供給装置１３によって、被処理水にスケール防止剤が供給される。また、スケール防止剤濃度検出装置１４によって、スケール防止剤の供給された被処理水中のスケール防止剤の濃度が測定される。スケール防止剤濃度検出装置１４による測定値は、制御装置４０に入力される。
【００４０】
スケール防止剤供給装置１３は、例えば、スケール防止剤を貯留するタンクと、当該タンク内のスケール防止剤を所定量で計量して、被処理水供給管１２内に供給する定量ポンプからなる。スケール防止剤は、シリカスケール、カルシウムスケール、マグネシウムスケールなどの生成や、生成したスケールの逆浸透膜面への付着を化学的に抑制するものであり、無機ポリリン酸類、ホスホン酸類、カルボキシル基含有コポリマー等を主成分とするものである。
【００４１】
スケール防止剤の供給された被処理水は、逆浸透膜ユニット１００〜３００に供給され、ここで逆浸透膜処理されて、塩類が除去される。逆浸透膜ユニット１００〜３００で除去される塩類は、塩化物イオン、硫酸イオン、硝酸イオン、フッ化物イオン、イオン化した重炭酸イオン等のアニオン成分や、ナトリウムイオン、カリウムイオン、カルシウムイオン、マグネシウムイオン等のカチオン成分、及びシリカ、ボロン等の弱電解質等である。また、上記逆浸透膜処理においては、被処理水中の有機物も除去される。
【００４２】
このとき、１基の逆浸透膜処理ユニット１００の水回収率は、例えば、導電率が５０μＳ／ｃｍ以上の透過水を得る場合、５０％〜９０％に設定される。逆浸透膜ユニット１００の水回収率は、｛透過水流出管１６１の透過水流量／（透過水流出管１６１の透過水流量＋濃縮水流出管１７１の濃縮水流量）｝×１００（％）で算出される。
【００４３】
また、逆浸透膜ユニット１００における塩類除去率は、水温２５℃、上記被処理水の供給圧における除去率として、９０％〜９９．９％である。
【００４４】
逆浸透膜ユニット１００により得られた透過水は、透過水流出管１６１から流出する。この過程で、透過水流量測定装置１８１により、透過水流出管１６１を通流する透過水の流量が測定される。また、上記逆浸透膜処理により生じる濃縮水は、濃縮水流出管１７１から流出する。この過程で、濃縮水流量測定装置１９１により、濃縮水流出管１７１を通流する濃縮の流量が測定される。透過水流量測定装置１８１による透過水流量及び濃縮水流量測定装置１９１による濃縮水流量の測定値は、それぞれ演算部３０１に入力される。
【００４５】
透過水流量測定装置１８１及び濃縮水流量測定装置１９１としては、例えば、オリフィス流量計、面積流量計、超音波流量計の流量計等によって流量を測定し、アナログ式又はデジタル式で測定値を出力可能な出力付き流量指示計を使用することができる。
【００４６】
演算部３０１は、上記透過水流量及び濃縮水流量の測定値に基づいて、逆浸透膜ユニット１００の水回収率を算出し、その値を制御装置４０に入力する。制御装置４０は、演算部３０１による入力値に基づいて、濃縮水流量調節バルブＶ２１の開度を、例えば、ＰＩＤ制御する。これにより、濃縮水流出管１７１から流出する濃縮水の流量を調節する。濃縮水流量調節バルブＶ２１は、開度の調節可能な弁であり、空気式、電気式などにより弁体を駆動するアクチュエータ開閉弁である。
【００４７】
例えば、逆浸透膜ユニット１００において、逆浸透膜面へのスケール生成等が生じ、透過水流量が減少した場合、透過水流量測定装置１８１による透過水流量の測定値が小さくなる。そのため、演算部３０１が算出する水回収率の値が小さくなる。
【００４８】
水回収率の入力値が小さくなると、制御装置４０が、濃縮水流出管１７１から流出する濃縮水の流量を減少させるように、濃縮水流量調節バルブＶ２１を制御する。これにより濃縮水流量調節バルブＶ２１の開度が絞られる。これにより、透過水流量が増加する。その結果、透過水流量測定装置１８１による透過水流量の測定値が増加し、濃縮水流量測定装置１９１による濃縮水流量が減少して、演算部３０１が算出する水回収率の値が大きくなる。このようにして、制御装置４０は、逆浸透膜ユニット１００の水回収率が所定の範囲で略一定の値になるように、濃縮水流量調節バルブＶ２１の開度を調整する。
【００４９】
また、逆浸透膜ユニット１００において、濃縮水流量が減少した場合、濃縮水流量測定装置１９１による濃縮水流量の測定値が小さくなる。そのため、演算部３０１が算出する水回収率の値が大きくなる。
【００５０】
水回収率の入力値が大きくなると、制御装置４０が、濃縮水流出管１７１から流出する濃縮水の流量を増加させるように、濃縮水流量調節バルブＶ２１を制御する。これにより濃縮水流量調節バルブＶ２１の開度が大きくされる。これにより、濃縮水流量が増加する。その結果、濃縮水流量測定装置１９１による濃縮水流量の測定値が増加し、透過水流量測定装置１８１による透過水流量が減少して、演算部３０１が算出する水回収率の値が小さくなる。このようにして、制御装置４０は、逆浸透膜ユニット１００の水回収率が所定の範囲で略一定の値になるように、濃縮水流量調節バルブＶ２１の開度を調整する。
【００５１】
各逆浸透膜ユニットの水回収率は、制御装置４０において、複数の逆浸透膜ユニットにそれぞれ同じ水回収率をあらかじめ設定してもよいし、使用される逆浸透膜の詰まり度合いとライフの関係を予め計測しておき、この予測を考慮して、水回収率の最適値を個々の逆浸透膜ユニットに設定してもよい。後者の場合、逆浸透膜の詰まり具合は、例えば、逆浸透膜の膜間差圧／フラックスで評価することができる（膜間差圧は当該逆浸透膜への被処理水の供給圧と濃縮水の流出圧の相加平均を透過水圧で除した値であり、フラックスは、当該逆浸透膜における透過水流量を逆浸透膜面積で除した値である。）。
【００５２】
また、逆浸透膜ユニット１００において、スケール生成により透過水流量及び濃縮水流量が変動したときには、逆浸透膜処理システム１における被処理水の供給流量も変動する。そのため、ポンプ１５の吐出流量を変化させずに、所定の量でスケール防止剤が供給され続けると、被処理水中のスケール防止剤の濃度が変動してしまう。
【００５３】
この場合には、制御装置４０は、スケール防止剤濃度検出装置１４により測定されたスケール防止剤の濃度に基づいて、スケール防止剤供給装置１３を制御する。これにより、スケール防止剤の供給量を自動的に変更させる。これにより、被処理水中のスケール防止剤の濃度が所定の最適濃度で維持される。また、制御装置４０は、上記透過水流量の測定値及び濃縮水流量の測定値に基づいて、ポンプ１５の吐出圧力又は吐出流量を制御してもよい。このようにすれば、被処理水中のスケール防止剤の濃度が所定の最適濃度でより安定的に維持することができる。
【００５４】
そして、被処理水中のスケール防止剤の濃度が所定の範囲の最適量に維持されるため、逆浸透膜ユニット１００におけるスケール抑制効果を安定的に得ることができる。
【００５５】
このように、透過水流出管１６１における透過水流量及び濃縮水流出管１７１における濃縮水流量から算出される水回収率に基づいて、濃縮水流量調節バルブＶ２１の開度を自動制御し、濃縮水流出管１７１から流出する濃縮水の流量を調節することで、逆浸透膜ユニット１００における水回収率を所定の略一定の値に保つことができる。また、逆浸透膜ユニット２００、３００についても上記逆浸透膜ユニット１００で行われるのと同様に、それぞれ水回収率の調節が行われる。そのため、逆浸透膜処理システム１における水回収率を安定に保つことができる。その結果、各逆浸透膜ユニットにおける水回収率が、外因などにより変動した場合にも、逆浸透膜処理システム１全体の水回収率を維持するためのバルブの操作などの作業負荷が軽減される。
【００５６】
そして、本実施形態の逆浸透膜処理システムでは、複数の逆浸透膜ユニットにおいて、各逆浸透膜ユニットでそれぞれ水回収率が自動で調整されるため、逆浸透膜処理システムにおける洗浄サイクルを長期化することができるほか、逆浸透膜モジュールのライフを長く保つことができる。さらに、本実施形態の逆浸透膜処理システムでは、操作の簡易な流量計を用いて運転の管理を行っているため、運転管理のために、新たに、センサー、分析器等の設置をする必要がない。そのため、運転コストが低減されるとともに、故障や不具合の問題が少ないという利点がある。
【００５７】
また、被処理水供給管１２における被処理水中のスケール防止剤の濃度に基づいて、スケール防止剤の供給量を自動制御する。このため、被処理水流量の変動が生じた場合にも、手動でのスケール防止剤の供給量の設定変更を行わずに、被処理水中のスケール防止剤の濃度を最適量に維持することができる。そのため、水回収率を維持するための作業負荷が著しく低減される。さらに、自動制御によって、各逆浸透膜ベッセルでの良好なスケール生成抑制効果が得られるため、逆浸透膜処理システム１におけるスケールの生成の抑制を自動で行うことができる。
【００５８】
なお、上記の実施形態では、逆浸透膜処理システム１が３基の逆浸透膜ユニットを有する場合について説明したが、これは一例であり、逆浸透膜処理システム１に備えられる逆浸透膜ユニットの数は、２以上であればよい。
【００５９】
図２は、逆浸透膜ユニット１００の構成の一例を概略的に示す図である。逆浸透膜処理ユニット１００は、被処理水を並列処理する第１逆浸透膜ベッセル１０及び第２逆浸透膜ベッセル１１を備えている。
【００６０】
第１の逆浸透膜ベッセル１０及び第２の逆浸透膜ベッセル１１にはそれぞれ、被処理水を供給する被処理水管１０ａ、１１ａと、透過水を流出させる透過水管１０ｂ、１１ｂと、濃縮水を流出させる濃縮水管１０ｃ、１１ｃとが接続されている。被処理水管１０ａ、１１ａは、被処理水供給管１２に分岐して設けられている。また、透過水管１０ｂ、１１ｂは、透過水流出管１６１に接続され、濃縮水管１０ｃ、１１ｃは、濃縮水流出管１７１に接続されている。
【００６１】
第１の逆浸透膜ベッセル１０及び第２の逆浸透膜ベッセル１１には、それぞれ複数の逆浸透膜モジュールｍ１、ｍ２、ｍ３が多段で内装されている。逆浸透膜モジュールｍ１、ｍ２、ｍ３は、例えば、モジュール内に、逆浸透膜と、逆浸透膜に被処理水を通水するための流路材とを収容して構成される。逆浸透膜モジュールｍ１、ｍ２、ｍ３において、逆浸透膜は、中空糸状、スパイラル状、平板状、チューブ状等に形成される。本実施形態の逆浸透膜モジュールｍ１、ｍ２、ｍ３においては、逆浸透膜は、耐圧性を高くして処理効率を向上させる点から、スパイラル状の逆浸透膜であることが好ましい。各逆浸透膜ベッセル１０、２０に備えられる逆浸透膜モジュールｍ１、ｍ２、ｍ３の構成はそれぞれ同じであってもよく異なっていてもよいが、同じであることが好ましい。
【００６２】
なお、図２に示す逆浸透膜ユニット１００は、２基の逆浸透膜ベッセルを備えているが、逆浸透膜ユニット１００に備えられる逆浸透膜ベッセルの数はこれに限定されない。逆浸透膜ユニット１００の有する逆浸透膜ベッセルは２基以上の任意の数であってよい。
【００６３】
また、逆浸透膜ユニット１００において、並列に配置された２基の逆浸透膜ベッセルにより逆浸透膜バンクが構成されている。逆浸透膜ユニット１００は、この逆浸透膜バンクを１段のみで有しているが、上記逆浸透膜バンクを直列に接続した多段で構成されていてもよい。
【００６４】
図３は、逆浸透膜バンクを２段で有する逆浸透膜ユニット１０１の構成を概略的に示す図である。逆浸透膜ユニット１０１において、図２に示す逆浸透膜ユニット１００と共通する構成には同一の符号を付して共通する説明を省略する。
【００６５】
逆浸透膜ユニット１０１において、並列に接続された逆浸透膜ベッセル５０、５１が前段側の逆浸透膜バンクを構成し、並列に接続された逆浸透膜ベッセル６０、６１が後段側の逆浸透膜バンクを構成している。逆浸透膜ユニット１０１においては、前段側の逆浸透膜バンクに設けられた逆浸透膜ベッセルの濃縮水管５０ｃ、５１ｃが、被処理水供給管６０ｄに接続され、被処理水供給管６０ｄが、後段側の逆浸透膜バンクの被処理水管６０ａ、６１ａと接続される。
【００６６】
逆浸透膜ユニット１０１において、下流側の逆浸透膜バンクに備えられる逆浸透膜ベッセルの濃縮水管６０ｃ、６１ｃに、濃縮水流出管１７１が接続される。また、各段に設けられた逆浸透膜ベッセルの透過水管５０ｂ、５１ｂ、６０ｂ、６１ｂが透過水流出管１６１に接続される。透過水流量測定装置１８１は透過水流出管１６１の下流側に、濃縮水流量測定装置１９１は、濃縮水流出管１７１の下流側に、それぞれ設けられる。
【００６７】
なお、逆浸透膜ユニットが、３段以上の逆浸透膜バンクを備える場合にも、上記逆浸透膜ユニット１０１と同様に、それぞれ、前段側の逆浸透膜バンクの濃縮水管が、後段側の逆浸透膜バンクの供給側に接続される。もっとも下流側（最終段）の逆浸透膜バンクの濃縮水管に、濃縮水流出管１７１が接続される。各段に配置された逆浸透膜ベッセルの透過水管が透過水流出管１６１に接続される。透過水流量測定装置１８１は透過水流出管１６１の、最終段の逆浸透膜バンクの下流側に、濃縮水流量測定装置１９１は、濃縮水流出管１７１の、最終段の逆浸透膜バンクの下流側に、それぞれ設けられる。
【００６８】
これにより、２段以上の多段の逆浸透膜バンクを有する逆浸透膜ユニットでは、各前段側の逆浸透膜バンクの濃縮水が、その後段側の逆浸透膜バンクで処理される。もっとも下流側（最終段）の逆浸透膜バンクの濃縮水は、濃縮水流出管１７１を介して流出する。また、各逆浸透膜ベッセルの透過水は、透過水流出管１６１を介して集水され、流出する。
【００６９】
そして、逆浸透膜ユニットが多段の逆浸透膜バンクを有する場合、透過水流量測定装置１８１により測定された透過水流量と、濃縮水流量測定装置１９１により測定された濃縮水流量に基づいて、演算部３０１が、水回収率を算出し、算出された水回収率の値に基づいて、制御装置４０が、濃縮水流出管１７１に介装された濃縮水流量調節バルブＶ２１の開度を制御して、濃縮水流出管１７１から流出される濃縮水の流量を調節する。
【００７０】
上記多段の逆浸透膜バンクを有する逆浸透膜ユニットにおいても、１段又は２段の逆浸透膜バンクを有する逆浸透膜ユニットと同様に、透過水流出管１６１における透過水流量及び濃縮水流出管１７１における濃縮水流量から算出される水回収率に基づいて、濃縮水流量調節バルブＶ２１の開度を自動制御し、濃縮水流出管１７１から流出する濃縮水の流量を調節することで、各逆浸透膜ユニットにおける水回収率が自動で調整される。これにより、逆浸透膜処理システム全体の水回収率が所定の範囲で維持される。そのため、例えば、逆浸透膜システムに備えられる、ある１基の逆浸透膜ユニットにおいて、外因などによって水回収率が変動した場合にも、逆浸透膜処理システムにおける水回収率が維持されるので、このためのバルブの操作などの作業負荷が軽減される。
【００７１】
そして、本実施形態の逆浸透膜処理システムでは、複数の逆浸透膜ユニットにおいて、各逆浸透膜ユニットでそれぞれ水回収率が自動で調整されるため、逆浸透膜処理システムにおける洗浄サイクルを長期化することができるほか、逆浸透膜モジュールのライフを長く保つことができる。さらに、操作の簡易な流量計を用いて運転の管理を行っているため、運転管理のために、新たに、センサー、分析器等の設置をする必要がない。そのため、運転コストを低減できるとともに、故障や不具合の問題が少ないという利点がある。
【００７２】
また、被処理水供給管における被処理水中のスケール防止剤の濃度に基づいて、スケール防止剤の供給量を自動制御する。このため、被処理水流量の変動が生じた場合にも、手動でのスケール防止剤の供給量の設定変更を行わずに、被処理水中のスケール防止剤の濃度を最適量に維持することができる。そのため、作業負荷が著しく低減される。
【００７３】
上記本発明の効果は、例えば、逆浸透膜処理システムが、塩類濃度の比較的高い被処理水を処理する、いわゆる前段逆浸透膜装置であり、処理水流量の極めて多い大型のシステムである場合に、より多大な効果が得られる。これは、塩類濃度の比較的高い被処理水を逆浸透膜処理すると、不溶性の無機塩などが膜面に付着し易く、これによりスケールが生成して、複数の逆浸透膜ユニットにおける処理水流量及び水回収率がそれぞれ独立に変動し易いためである。このような場合にも、上記で説明した実施形態の逆浸透膜処理システムでは、スケール生成の抑制のためのスケール防止剤の供給濃度と、水回収率を自動で安定的に維持することができる。
【００７４】
以上、上記で説明した逆浸透膜処理システム及び逆浸透膜処理システムの運転方法によれば、複数の逆浸透膜ユニットにより被処理水を並列処理する逆浸透膜処理において、スケール防止剤の供給濃度と水回収率を、所定の一定の範囲に自動で保つことができる。
【符号の説明】
【００７５】
１…逆浸透膜処理システム、１０，１１，５０，５１，６０，６１…逆浸透膜ベッセル、１０ａ，１１ａ，５０ａ，５１ａ，６０ａ，６１ａ…被処理水管、１０ｂ，１１ｂ，５０ｂ，５１ｂ，６０ｂ，６１ｂ…透過水管、１０ｃ，１１ｃ，５０ｃ，５１ｃ，６０ｃ，６１ｃ…濃縮水管、１２，６０ｄ…被処理水供給管、１３…スケール防止剤供給装置、１４…スケール防止剤濃度検出装置、１５…ポンプ、１６１，１６２，１６３…透過水流出管、１７１，１７２，１７３…濃縮水流出管、１８１，１８２，１８３…透過水流量測定装置、１９１，１９２，１９３…濃縮水流量測定装置、３０１，３０２，３０３…演算部、４０…制御装置、１００，２００，３００…逆浸透膜ユニット、Ｖ１１〜１３…被処理水供給流量調節バルブ、Ｖ２１〜２３…濃縮水流量調節バルブ、ｍ１〜ｍ３…逆浸透膜モジュール。
【図１】
2018034093.tif 000003
【図２】
2018034093.tif 000004
【図３】
2018034093.tif 000005